(57)【特許請求の範囲】
【請求項１】
表示装置が設けられた電子機器に着脱可能に装着され、該表示装置に表示された画像を拡大レンズにより拡大表示する表示拡大装置であって、
前記電子機器の上端の上面部分に係合する上部メンバと、該上部メンバと一体的に形成されており前記電子機器の一方の側面に沿って延出し該一方の側面に係合する第１の側部メンバと、該第１の側部メンバと一体的に形成されており前記電子機器の背面部分に延出して該背面部分に係合する背面メンバと、一方が前記上部メンバの前記第１の側部メンバの形成側と反対側に立設されると共に他方が前記背面メンバの前記第１の側部メンバの形成側と反対側に立設され、前記電子機器の他方の側面と係合する１対の第２の側部メンバとからなり、前記電子機器を前記上部メンバと前記背面メンバとの間で挟むことにより前記電子機器に固定される固定部と、
前記１対の第２の側部メンバに回転可能に設けられた前記拡大レンズを保持するレンズ保持部と、
前記背面メンバに設けられ、前記第１の側面メンバと前記第２の側面メンバとの間の距離を、前記固定部が電子機器に固定される距離に調整する調整用手段とを有することを特徴とする表示拡大装置。
【請求項２】
請求項１記載の表示拡大装置において、
前記レンズ保持部と前記第２の側部メンバとを第１の可動部により回動可能に接続する共に、該第１の可動部を前記電子機器の側部に位置するよう配設し、
前記レンズ保持部が該第１の可動部を中心として回動することにより、前記第１の位置と前記第２の位置との間で移動する構成としたことを特徴とする表示拡大装置。
【請求項３】
請求項１または２記載の表示拡大装置において、
前記拡大レンズが前記第２の位置に移動した際、前記拡大レンズと前記表示装置が並んで配置されることを特徴とする表示拡大装置。
【請求項４】
請求項１乃至３のいずれか１項に記載の表示拡大装置において、
前記拡大レンズを前記レンズ保持部に対して可動させる第２の可動部を設けると共に、
前記第１の可動部は、前記レンズ保持部を前記電子機器に対して起立した状態に係止しうる構成としたことを特徴とする表示拡大装置。
【請求項５】
請求項１乃至４のいずれか１項に記載の表示拡大装置において、
前記電子機器は、携帯電話であることを特徴とする表示拡大装置。
【発明の詳細な説明】
【０００１】
【発明の属する技術分野】
本発明は表示拡大装置に係り、特に表示装置を拡大する拡大レンズを有した表示拡大装置に関する。
【０００２】
近年、携帯電話に代表される携帯用電子機器は、小型薄型化が急速な勢いで進んでおり、これに伴い液晶表示装置（液晶パネル）の配設位置にも制限を受けてしまう。液晶表示装置は、その表示画面の面積が広いほど視認性は向上するが、携帯用電子機器の小型化には反することとなる。また、表示画面の面積を小さくした場合には、携帯用電子機器の小型化には有利であるが、表示される文字，画像が小さくなり、視認性が低下することとなる。
【０００３】
【従来の技術】
近年、携帯用電子機器（例えば携帯電話）は広く使用されるようになってきており、高齢者においても携帯電話を広く使用するようになってきている。しかしながら、上記したように携帯電話はその携帯性を高めるため小型薄型化が進んでおり、これに伴い液晶表示装置の表示画面も小さくなり、高齢者の方からは表示文字や画像を大きく表示してほしいとの要望があった。
【０００４】
従来、携帯電話においてこれに対応する方法としては、液晶表示装置のフォントを変更できる回路（以下、表示拡大回路という）を内蔵し、電子回路的に液晶表示装置に表示される文字や画像を大きくする方法が採られていた。また、他の方法としては、シート状のフレネルレンズを液晶表示装置上に貼り付け、光学的に液晶表示装置に表示される文字や画像を大きく見せる方法もあった。
【０００５】
【発明が解決しようとする課題】
しかしながら、表示拡大回路を内蔵し、電子回路的に液晶表示装置に表示される文字や画像を大きくする方法では、回路構成が複雑となり、これに伴い電子部品の点数も増大し、携帯電話（携帯用電子機器）のコストが上昇してしまうという問題点があった。
【０００６】
また、液晶表示装置の表示画面の大きさを変更することなく、これに表示される文字等を大きくする構成であったため、画面に表示される情報量が少なくなってしまうという問題点もあった。即ち、拡大前では５０文字表示されたものが、拡大することにより２５文字しか表示されないことが生じ、よって全ての情報を見るには拡大前に比べて画面の切替え処理を頻繁に行なう必要が生じるという問題点も乗じる。
【０００７】
一方、シート状のフレネルレンズを液晶表示装置上に貼り付ける方法では、拡大レンズは液晶表示装置に表示された文字、画像のみを拡大するだけの機能しか奏しないため、汎用性の面で劣っていた。
【０００８】
本発明は上記の点に鑑みてなされたものであり、コストの上昇を伴うことなく、且つ汎用性を持たせつつ液晶表示装置の表示を拡大処理しうる表示拡大装置を提供することを目的とする。
【０００９】
【課題を解決するための手段】
上記の課題を解決するために本発明では、次に述べる各手段を講じたことを特徴とするものである。
【００１０】
請求項１記載の発明は、
表示装置が設けられた電子機器に着脱可能に装着され、該表示装置に表示された画像を拡大レンズにより拡大表示する表示拡大装置であって、
前記電子機器の上端の上面部分に係合する上部メンバと、該上部メンバと一体的に形成されており前記電子機器の一方の側面に沿って延出し該一方の側面に係合する第１の側部メンバと、該第１の側部メンバと一体的に形成されており前記電子機器の背面部分に延出して該背面部分に係合する背面メンバと、一方が前記上部メンバの前記第１の側部メンバの形成側と反対側に立設されると共に他方が前記背面メンバの前記第１の側部メンバの形成側と反対側に立設され、前記電子機器の他方の側面と係合する１対の第２の側部メンバとからなり、前記電子機器を前記上部メンバと前記背面メンバとの間で挟むことにより前記電子機器に固定される固定部と、
前記１対の第２の側部メンバに回転可能に設けられた前記拡大レンズを保持するレンズ保持部と、
前記背面メンバに設けられ、前記第１の側面メンバと前記第２の側面メンバとの間の距離を、前記固定部が電子機器に固定される距離に調整する調整用手段とを有することを特徴とするものである。
【００１１】
上記発明によれば、第１の側面メンバと第２の側面メンバとの間の距離を、固定部が電子機器に固定される距離に調整する調整用手段を設けたため、固定部を確実に電子機器に固定することができる。
【００１２】
また、請求項２記載の発明は、
請求項１記載の表示拡大装置において、
前記レンズ保持部と前記第２の側部メンバとを第１の可動部により回動可能に接続する共に、該第１の可動部を前記電子機器の側部に位置するよう配設し、
前記レンズ保持部が該第１の可動部を中心として回動することにより、前記第１の位置と前記第２の位置との間で移動する構成としたことを特徴とするものである。
【００１３】
上記発明によれば、レンズ保持部が第１の可動部を中心として回動することにより、拡大レンズは第１の位置と第２の位置との間で移動するため、移動操作時における操作性を向上させることができる。
【００１４】
また、請求項３記載の発明は、
請求項１または２記載の表示拡大装置において、
前記拡大レンズが前記第２の位置に移動した際、前記拡大レンズと前記表示装置が並んで配置されることを特徴とするものである。
【００１５】
上記発明によれば、拡大レンズにより拡大処理している内容（例えば、新聞等に記載されている電話番号等）を見ながら電子機器の操作を行なうことが可能となり、電子機器の利便性を向上することができる。
【００１６】
また、請求項４記載の発明は、
請求項１乃至３のいずれか１項に記載の表示拡大装置において、
前記拡大レンズを前記レンズ保持部に対して可動させる第２の可動部を設けると共に、
前記第１の可動部は、前記レンズ保持部を前記電子機器に対して起立した状態に係止しうる構成としたことを特徴とするものである。
【００１７】
上記発明によれば、第１の可動部によりレンズ保持部が電子機器に対して起立した状態に係止される構成としたため、拡大レンズは表示装置に対して離間した位置に位置決めされることとなる。これにより、拡大レンズによる表示装置の表示の拡大率を高めることができ、表示の視認性を更に向上させることができる。
【００１８】
また、請求項５記載の発明は、
請求項１乃至４のいずれか１項に記載の表示拡大装置において、
前記電子機器は、携帯電話であることを特徴とするものである。
【００１９】
上記発明のように電子機器として携帯電話を適用したことにより、携帯電話では主に文字が表示装置の表示対象となるため、表示画面が小さいとこれに伴い文字も小さくなり読み難くなるが、上記の拡大レンズを設けることにより文字の読み取りを容易にすることができる。
【００２０】
【発明の実施の形態】
次に、本発明の実施の形態について図面と共に説明する。
【００２１】
図１及び図２は、本発明の一実施例である表示拡大装置１０を示している。図１は表示拡大装置１０の斜視図であり、図２は表示拡大装置１０を携帯電話２０に装着した状態を示している。
【００２２】
表示拡大装置１０は、大略すると拡大レンズ１１，固定部１２，レンズ保持部１３，第１の可動部１４，及び第２の可動部１５等により構成されている。拡大レンズ１１は矩形状の樹脂製の凸レンズであり、その大きさは携帯電話２０の液晶表示装置２１と略同面積かそれより大きく設定されている。
【００２３】
この拡大レンズ１１は、第２の可動部１５を介してレンズ保持部１３に取り付けられている。レンズ保持部１３は軽量であるアルミ合金パイプ等を略コ状に成形しており、これにより軽量化と機械的強度出しを同時に実現している。尚、レンズ保持部１３の材料としては、上記した金属以外にも樹脂等を用いることも可能である。
【００２４】
第２の可動部１５は軸受機構により構成されており、レンズ保持部１３に対して拡大レンズ１１を回動可能（図中、矢印Ｂ１，Ｂ２方向に回動可能）に軸承するものである。具体的には、第２の可動部１５は、拡大レンズ１１の一側辺部に軸受孔１１ａを形成すると共に、この軸受孔にレンズ保持部１３に形成された軸部１３ａを挿通することにより構成されている。
【００２５】
これにより、拡大レンズ１１は、固定部１２を介してレンズ保持部１３に回動可能な構成で保持される。また、図１及び図２に示すように、第２の可動部１５により拡大レンズ１１をレンズ保持部１３側に回動した際、レンズ保持部１３とが衝突しないよう構成されている。
【００２６】
また、第２の可動部１５を構成する軸部１３ａと軸受孔１１ａは、所定の圧力をもって係合している。よって、拡大レンズ１１は、レンズ保持部１３に対して任意の位置で係止できる構成となっている。
【００２７】
従って、例えば図１に示すように、拡大レンズ１１がレンズ保持部１３と略面一となる位置にある場合も、拡大レンズ１１はこの位置を維持しており、第２の可動部１５を中心として吊り下がるような状態に回動することはない。
【００２８】
一方、上記のように略コ状とされたレンズ保持部１３の両端部は、第１の可動部１４を介し固定部１２に接続されている。固定部１２は、図２に示すように、携帯電話２０に取り付け固定される。この固定部１２もレンズ保持部１３と同様に、軽量であるアルミ合金パイプ等（樹脂を用いることも可能）を図示される形状に成形した構成とされており、よって軽量化と機械的強度出しを同時に実現している。
【００２９】
固定部１２は、上部メンバー１２ａ，第１の側部メンバー１２ｂ，背部メンバー１２ｃ，及び第２の側部メンバー１２ｄを一体的連結した構成とされている。前記のように固定部１２は携帯電話２０に取り付け固定されるが、この取り付け状態において、上部メンバー１２ａは携帯電話２０の上端部分に係合し、第１の側部メンバー１２ｂは携帯電話２０の側面２３に係合し、背部メンバー１２ｃは携帯電話２０の背面部分に係合し（図５参照）、更に第２の側部メンバー１２ｄは携帯電話２０の側面２４に係合する。
【００３０】
また、固定部１２が携帯電話２０に確実に固定されるよう、第１の側部メンバー１２ｂ及び第２の側部メンバー１２ｄには、それぞれ取り付け用ゴム１６が設けられている。また、背部メンバー１２ｃには調整用ネジ１７が設けられており、これによっても固定部１２が確実に携帯電話２０に固定されるよう構成されている。
【００３１】
尚、本実施例では固定部１２の背部メンバー１２ｃにのみ調整用ネジ１７を設けることにより、図中矢印Ｘ方向についてのみ取り付け調整を行ないうる構成としている。しかし、第１の側部メンバー１２ｂにも調整用ネジ１７を設けることにより、図中矢印Ｙ方向についても取り付け調整可能な構成とすることも可能である。この構成とすることにより、固定部１２を携帯電話２０により確実に固定できると共に、表示拡大装置１０を外形状の異なる種々の携帯電話２０に対応させることも可能となる。
【００３２】
第１の可動部１４は、レンズ保持部１３と、固定部１２の第２の側部メンバー１２ｄとを回動可能に接続している。この第１の可動部１４は、ヒンジ機構により構成されている。
【００３３】
そして、固定部１２に対してレンズ保持部１３を図中矢印Ａ１，Ａ２で示す方向に回動させると共に、この回動途中の任意位置でレンズ保持部１３を係止しうる構成となっている。また、前記したように拡大レンズ１１はレンズ保持部１３に保持されているため、第１の可動部１４によりレンズ保持部１３が固定部１２に対して回動することにより、拡大レンズ１１もこれに従い回動する。
【００３４】
続いて、上記構成とされた表示拡大装置１０の動作及び機能について説明する。
上記のように構成された表示拡大装置１０は、拡大レンズ１１を図１及び図２に示す位置（以下、第１の位置という）、図３乃至図５に示す位置（以下、第２の位置という）、図６及び図７に示す位置（以下、第３の位置という）の間で移動させ、また第１〜第３の各位置に拡大レンズ１１を係止させる。以下、それぞれの位置へ拡大レンズ１１を係止したときの機能、及び各位置に拡大レンズ１１を移動させる動作に付いて説明する。
【００３５】
先ず、拡大レンズ１１が図１及び図２に示す第１の位置にある状態から説明する。拡大レンズ１１が第１の位置にある時、レンズ保持部１３は第１の可動部１４を中心として図中矢印Ａ２方向に回動されている。また、拡大レンズ１１は、第２の可動部１５を中心としてレンズ保持部１３の内部に位置するよう回動されている。
【００３６】
拡大レンズ１１がこの第１の位置にある状態では、図２に示すように、１１は携帯電話２０に配設されている液晶表示装置２１と対向するよう構成されている。また、拡大レンズ１１は、液晶表示装置２１の上部に略接した状態となっている。従って、液晶表示装置２１に表示された文字や画像は、拡大レンズ１１により拡大表示されることとなる。
【００３７】
これにより、液晶表示装置２１の表示が小さく見難い場合であっても、液晶表示装置２１の表示は拡大レンズ１１により拡大されるため、表示の視認性（見易さ）を向上させることができる。また、拡大レンズ１１により表示を直接拡大する構成であるため、従来のように液晶表示装置の表示を回路的に拡大する構成に比べ、携帯電話２０の低コスト化を図れると共に、表示情報量を多く保つことができる。
【００３８】
また、レンズ保持部１３及び拡大レンズ１１は、携帯電話２０の上部に略接した状態となっており、レンズ保持部１３及び拡大レンズ１１の厚さ以上には突出していない。よって、拡大レンズ１１がこの第１の位置にある状態で携帯電話２０を携帯することにより、表示拡大装置１０を設けても携帯電話２０の携帯性を悪化させるようなことはない。
【００３９】
上記した第１の位置にある拡大レンズ１１を第２の位置に移動させるには、第１の可動部１４を中心としてレンズ保持部１３を図中矢印Ａ１で示す方向に約１８０度回転させる。これだけの簡単な操作で、拡大レンズ１１は第１の位置から図３乃至図５に示す第２の位置に移動する。また、拡大レンズ１１が第２の位置にある状態においても、拡大レンズ１１とレンズ保持部１３は略面一な状態となっている。
【００４０】
この第２の位置にある時、図４及び図５に示すように、拡大レンズ１１は携帯電話２０の側面２４から側方に延出した（飛び出した）状態となっている。従ってこの態様では、拡大レンズ１１を例えば新聞，雑誌等の液晶表示装置２１以外のものを拡大して見るルーペとして使用することが可能となる。よって、表示拡大装置１０によれば、一つの拡大レンズ１１に複数の機能を持たせることが可能となる。
【００４１】
また図４に示すように、拡大レンズ１１が第２の位置に移動することにより、拡大レンズ１１と携帯電話２０の液晶表示装置２１は並んで配置された状態となる。よって、拡大レンズ１１により拡大処理している内容（例えば、新聞等に記載されている電話番号等）を見ながら、携帯電話２０の操作スイッチ２２を操作することが可能となり、携帯電話２０の操作時における利便性を向上することができる。
【００４２】
上記した第２の位置にある拡大レンズ１１を第３の位置に移動させるには、第１の可動部１４を中心としてレンズ保持部１３を図中矢印Ａ２で示す方向に約９０度回転させると共に、第２の可動部１５により拡大レンズ１１を図中矢印Ｂ２方向に約９０度回転させる。これだけの簡単な操作で、拡大レンズ１１は第２の位置から図６及び図７に示す第３の位置に移動する。
【００４３】
この第３の位置にある時、図７に示すように、拡大レンズ１１は液晶表示装置２１からレンズ保持部１３の脚部１３ｂの長さ分だけ上方に離間した状態となっている。即ち、拡大レンズ１１が第３の位置にある時、レンズ保持部１３の脚部１３ｂは固定部１２（即ち携帯電話２０）に対し起立した状態となっており，拡大レンズ１１はこの脚部１３ｂに対し略直角方向に延出した状態となっている。
【００４４】
このように第３の位置にある時、拡大レンズ１１は液晶表示装置２１に対して離間した位置に位置決めされるため、拡大レンズ１１による液晶表示装置２１の表示の拡大率を高めることができる。これにより、拡大レンズ１１が第１の位置にある状態よりも、液晶表示装置２１に表示されている文字，画像を大きく見ることができ、更に表示の視認性を更に向上させることができる。
【００４５】
尚、上記した説明では、拡大レンズ１１を第１の位置→第２の位置→第３の位置の順序で移動させた例について説明したが、表示拡大装置１０における拡大レンズ１１の移動順序はこれに限定されものではなく、第１〜第３の位置で任意に移動させることが可能である。例えば、図１及び図２に示す第１の位置から、図６及び図７に示す第３の位置へ直接拡大レンズ１１を移動させることも可能である。
【００４６】
また、上記した実施例ではレンズ保持部１３の脚部１３ｂは一定の長さに固定された構成としたが、この脚部１３ｂを図６に矢印Ｚで示す方向に伸縮可能な構成としてもよい。この構成とすることにより、拡大レンズ１１と液晶表示装置２１との離間距離を調整することが可能となり、表示の拡大率を調整することが可能となる。
【００４７】
【発明の効果】
上述の如く本発明によれば、次に述べる種々の効果を実現することができる。
【００４８】
請求項１記載の発明によれば、第１の側面メンバと第２の側面メンバとの間の距離を、固定部が電子機器に固定される距離に調整する調整用手段を設けたため、固定部を確実に電子機器に固定することができる。
【００４９】
また、請求項２記載の発明によれば、拡大レンズを第１の位置と第２の位置との間で移動させる際の操作性を向上させることができる。
【００５０】
また、請求項３記載の発明によれば、拡大レンズにより拡大処理している内容（例えば、新聞等に記載されている電話番号等）を見ながら電子機器の操作を行なうことが可能となり、電子機器の利便性を向上することができる。
【００５１】
また、請求項４記載の発明によれば、拡大レンズは表示装置に対して離間した位置に位置決めできるため、拡大レンズによる表示装置の表示の拡大率を高めることができ、表示の視認性を更に向上させることができる。
また、請求項５記載の発明によれば、携帯電話では主に文字が表示装置の表示対象となるため、表示画面が小さいとこれに伴い文字も小さくなり読み難くなるが、上記の拡大レンズを設けることにより文字の読み取りを容易にすることができる。
【図面の簡単な説明】
【図１】本発明の一実施例である表示拡大装置を示しており、拡大レンズが第１の位置に位置した状態を示す斜視図である。
【図２】本発明の一実施例である表示拡大装置を携帯電話に装着した状態を示しており、拡大レンズが第１の位置に位置した状態を示す斜視図である。
【図３】本発明の一実施例である表示拡大装置を示しており、拡大レンズが第２の位置に位置した状態を示す斜視図である。
【図４】本発明の一実施例である表示拡大装置を携帯電話に装着した状態を示しており、拡大レンズが第２の位置に位置した状態を上部から見た斜視図である。
【図５】本発明の一実施例である表示拡大装置を携帯電話に装着した状態を示しており、拡大レンズが第２の位置に位置した状態を下部から見た斜視図である。
【図６】本発明の一実施例である表示拡大装置を示しており、拡大レンズが第３の位置に位置した状態を示す斜視図である。
【図７】本発明の一実施例である表示拡大装置を携帯電話に装着した状態を示しており、拡大レンズが第３の位置に位置した状態を示す斜視図である。
【符号の説明】
１０  表示拡大装置
１１  拡大レンズ
１２  固定部
１３  レンズ保持部
１４  第１の可動部
１５  第２の可動部
１７  調整用ネジ
２０  携帯電話
２１  液晶表示装置
【図１】
0003885994.tif 000002
【図２】
0003885994.tif 000003
【図３】
0003885994.tif 000004
【図４】
0003885994.tif 000005
【図５】
0003885994.tif 000006
【図６】
0003885994.tif 000007
【図７】
0003885994.tif 000008